(57)【要約】      （修正有）【課題】展示に当たって展示物の後に隠れる展示バック部と展示物のフロントやサイドにくる展示フロント(サイド）部のパイプ部材の断面形状を変化させることのできる展示装置を提供する。【解決手段】金属パイプを枠体とする展示装置において、互いに異なった形状の金属パイプや異なった方向で組立てられる金属パイプを接続する接続治具２，４を安全性と省スペースを考えて作り、これと金属パイプ６，８，１０の組み合わせによって展示装置を作る。また、展示バック部は、展示フロント（サイド）部に比べ展示物の負荷に耐えられるように強靭に、断面形状も大きく作り、展示フロント（サイド）部は、展示物を見る上で障害とならないよう断面形状を小さくする。【選択図】図１
2007007350.tif 000002
【特許請求の範囲】
【請求項１】
金属パイプ部材を枠体とする展示装置に於いて、互いに異形の前記金属パイプ部材を接続したり、異なる方向に組み立てられる前記金属パイプ部材を接続する安全性と省スペースを考えた接続治具を使って構成したことを特徴とする展示装置
【請求項２】
前記接続治具は、鉄材を素材とし、鍛造によって作り、前記金属パイプ部材を溶接によって接続したことを特徴とする請求項１に示した展示装置
【請求項３】
前記接続治具は、粉末治金成形によって作り、前記金属パイプ部材と接続したことを特徴とする請求項１に示した展示装置
【請求項４】
金属パイプ部材を枠体とする展示装置に於いて、該枠体を展示フロント（サイド）部と、展示バック部に分け、該展示フロント（サイド）部の前記金属パイプ部材は、該展示バック部の前記金属パイプ部材よりも、断面形状を小さくしたことを特徴とする展示装置
【請求項５】
前記断面形状を、前記展示フロント（サイド）部と前記展示バック部で展示装置正面からみて異なった形状に変えたことを特徴とする展示装置
【発明の詳細な説明】
【技術分野】
【０００１】  本発明はディスプレイ什器などの展示装置に関する。
【背景技術】
【０００２】  金属パイプ部材を枠体として使用した展示装置としては、ディスプレイ什器のオープンラックが知られている。図９から図１３は従来のオープンラックの実例である。図９は角パイプを使ったオープンラックで、図１０はこのオープンラックにブラケットを取り付け、ガラス板を置いたりし、実際に展示物を飾った展示実施例図である。【０００３】  図１１は別のオープンラックの例で、これに服飾品を掛架したデパートの売場の写真図である。【０００４】  図１２、図１３は、金属パイプを枠体としたオープンラックの従来の実施例で図１２は、ブラケットを取り付けた後、柵枠を設置し、図１３はオープンラックに一部パネルを貼り、また、円パイプを隠す為に装飾棚を一部取り付けた展示装置である。【０００５】  これまで展示装置や展示物支持装置、展示用什器などとして以下のような特許が出されている。
【特許文献１】特開１１−１５９０３３
【特許文献２】特開１１−２２１１４１
【特許文献３】特開２００１−２９５３９８
【特許文献４】特開２００２−１１２８６３
【特許文献６】特開２００３−１７６５８９
【特許文献７】特開２００２−７１２７７
【０００６】  しかしながら、金属パイプ部材を枠体として使用した展示装置に接続治具などを用いたり、展示に当って展示物の後に隠れる展示バック部と展示物のフロントやサイドにくる展示フロント（サイド）部のパイプ部材の断面形状を変化させるなどの本願発明に関する試みは行われていない。【０００７】  たとえば、図９、図１１のようなオープンラックを用いたとき、このラックの角に、品定めをするユーザーが接触したり、ぶつかったとき、怪我をすることが考えられる。一方、図１２〜図１３のような、オープンラックでは「角」は、パイプの形状を保ち強度を保つために、パイプ径Ｌの３．５倍以上の半径をもつ曲率で曲げられている。従ってこの「角」にユーザーがあたることがあっても傷などを誘引しない。【０００８】  しかし、曲率が大きすぎるため、この部分は展示スペースとして有効に使うことができない。そのため図１３のように、外から見えないように装飾板で覆い隠すようなこともしている。また、展示装置の基本的な枠組みとして、金属パイプ部材を使用するのは、軽量でかつ強度を出すためである。展示装置として移動や運搬が楽なことと、展示物を保護するために枠組みとしての強度が必要とされるのである。しかしながら、一定の強度が必要だからといって、それをそのまま展示フロント部にもってくれば肝心の展示物が見えづらくなることになった。【０００９】  そこで本願は、金属パイプ部材を枠体として使用した展示装置に於いて、安全性や省スペースを考えた展示装置を作ることが、まず、第一の課題である。また、展示装置の特性を軽量かつ強度に優れ、基本枠体をしっかりと支えることと、なおかつ展示物が見えやすくすることを両方とも成り立たせる展示装置を作ることが第二の課題である。
【課題を解決するための手段】
【００１０】  本願では課題を解決するために、まず互いに異なった形状の金属パイプを接続したり、異なった方向から組み立てられる金属パイプ部材を接続できる接続治具を作った。この接続治具を作るに当って安全性を考えて、鋭角な角はなくしながら、省スペースを考えて角の曲率は小さくなる構造を考えた。この接続治具は鍛造や粉末治金の方法で型を使って作製し、金属パイプ部材を組み合わせて展示装置を作った。
【００１１】  これまでは、ほぼ同一の形状、同一の大きさの金属パイプ部材で展示装置の枠組みを作っていたが、展示装置としては、展示物の影となって基本的な枠組みをしっかりと支える展示バック部分と、もしそのパイプ部材の断面形状が大きくなると、展示物そのものをユーザーの目から遮蔽し展示物を影にするフロント（サイド）部分のそれぞれの役割を分けて考えた。基本的な枠組を作っている展示バック部を正面から見ても大きくし、かつ負荷に耐えられるように強固につくり、展示フロント（サイド）部は、それに対し展示物を見えやすくするため小さく構成するようにした。
【発明の効果】
【００１２】  本発明は、金属パイプ部材を枠体とする展示装置に於いて、安全性と省スペースを考えた接続治具を作り、この接続治具と金属パイプ部材を組み合わせることにより、従来にない展示装置を作ることができた。その結果、スペース的には従来の角パイプを使った展示装置とほぼ同一の効率で展示スペースを確保しながら、角の部分をとり、曲率の小さい安全設計で作ることができた。
【００１３】  また、この接続治具を利用するなどしながら、金属パイプ部材の断面形状を役割に応じて変化させ、基本的枠組を支える展示バック部は大きく、展示フロント（サイド）部は小さくしたため、展示装置は一定の強度をもち、しっかりと基本的枠組を支えつつ、展示装置が展示物を見るに当ってできるだけ邪魔にならなくなった。この結果、安全性と省スペースを考えた、そして展示物の見やすい従来にない展示装置を提供することができた。
【発明を実施するための最良の形態】
【００１４】  図１は本発明による展示装置の一実施例の部分概観図である。（２）、（４）は接続治具（６）、（８）、（１０）は金属パイプである。図２はこの接続治具（２）（４）と金属パイプ（８）（１０）の設計図面である。図３は、図１で示した接続治具を用いて作ったオープンラックの一実施例の設計図面で、図４はその全体概観図である。【００１５】  図１で、接続治具（２）に垂直方向から金属パイプ（６）が接続され、水平方向から金属パイプ（８）が接続されている。金属パイプ（６）及び（８）は、図２で見るようにいずれも同寸法の楕円形状をしてこの接続治具（２）は異なった方向に組み立てられる金属パイプ（６）金属パイプ（８）を接続する役割を果たしている。【００１６】  また、接続治具（４）は、水平方向の金属パイプ（８）と、それに対して略直角方向をなす水平方向の金属パイプ（１０）を接続している。しかも、ここでは金属パイプ（８）と金属パイプ（１０）は同じ楕円形状ながら、大きさが異なり、異なる方向で組み立てられる金属パイプのみならず、異なる形状の金属パイプを接続している。【００１７】  金属パイプを枠体として作った従来の展示装置の場合、本願のような接続治具を使っていないためパイプの形状を崩さす、強度を保つためにはパイプの直径の３．５倍以上の曲率が必要であった。しかし、本願の場合こうした接続治具（２）（４）は、鍛造や粉末治金によって作成したため、接続治具（２）のように接続する金属パイプ（６）（８）を楕円形状の長軸方向変換したり、接続治具（４）のように金属パイプ自体の形状を変えたり略直角の方向転換でも可能なようになっている。【００１８】  図１５は本願の接続治具（２）（４）を鍛造で作る場合の工程図である。（１２）は原材料、（１４）は切断工程、（１６）は加熱工程、（１８）は型鍛造工程、（２０）は設計工程、（２２）は型作り工程、（２４）はトリミング工程である。接続治具（２）（４）を鍛造で作るに当り、まずは原材料を選定する。鍛造は元々鉄鋼材料を過熱しながら打つことによって強靭性を付与するようにしたもので、鍛造の名称も鍛冶屋からきている。金属パイプを枠体とする展示装置に於いて接続治具の部分はかかった荷重を支える部分となるため断面形状に比して強靭性を出せる鍛造で作ることにした。【００１９】  原材料としては、最も強靭性のでる鉄鋼材を使ったが、メッキや塗装などの後工程を考え、簡単にボルトなどで組み立てられるようにしたり、展示装置の展示目的が比較的軽負荷のものである時には、ステンレス鋼、アルミなどを使ってもよい。切断工程（１４）で所定の大きさに切断し、過熱工程（１６）では熱間加工では１２００℃から１３００℃の温度で加熱する。形状が左右対象で簡単な場合は冷間鍛造でも良い。所望する形状に合わせて設計工程（２０）で型設計し、型造り工程（２２）で作った型を設置して型鍛造工程（１８）で加熱した素材を鍛造する。鍛造の後、余分となった部分をトリミング工程（２４）で取り除く。このように鍛造は、型を押し付けて押し付けた型どおりに正確に金属部品を作る方法である。また、この鍛造で加工した鉄鋼材料などは、溶接加工も可能となる。【００２０】  このような鍛造によって作っている���め、図２で見るような複雑な形状をした接続治具（２）（４）も作製可能となった。またここで接続治具（２）の凸部（２６）と接続治具（４）の凸部（２８）に鋼材で作った金属パイプ（８）を挿入し、この部分を互いに接続するようにしているが、接続を固定化するためこの挿入部分を溶接で溶着するようにしている。接続治具（２）のもう一方の凸部（３０）にも同様に図１の金属パイプ（６）が挿入され、接続治具（４）のもう一方の凸部（３２）にも金属パイプ（１０）が挿入され、同様に溶接で溶着する。【００２１】  図３で（３４）、（３６）、（３７）、（３８）、（３９）、（４０）、（４２）、（４４）は展示装置用のオープンラックの枠体を構成する金属パイプで（４６）、（４８）、（５０）、（５２）は接続治具である。ここで使用している接続治具（５０）、（５２）は図１の接続治具（２）と同じもので、接続治具（４６）は接続治具（４）と同じである。接続治具（４８）は接続治具（４）とは左右対象となる。（５４）、（５６）は、この枠体を支えるワイヤーである。図４は先に説明したようにこのオープンラックの全体概観図である。（５１）、（５３）は枠体を構成する金属パイプである。【００２２】  （４２）、（４４）の角パイプには、スリット穴が付いていて、ここにブラケット等を差し込みその上にガラス板や棚板を置き、展示物を展示することになる。したがって、展示物の荷重は、金属パイプ（３４）、（３６）、（４２）、（４４）で主に支えることになり、その意味をふくめ、これら金属パイプ（３４）、（３６）、（４２）、（４４）は断面形状も大きくとっている。また、展示物との位置関係から言えば、展示物の影の位置になるいわば展示バック部となるため断面積や正面に向かう表示面積も大きくとっても直接展示物の見え方に影響を与えることはない。【００２３】  その一方で展示物の上に来る金属パイプ（５１）、（５３）やフロントでかつサイドに来る金属パイプ（３８）（４０）はユーザーと展示物の間に入るいわば展示フロント（サイド）部にくる枠体であり、これらはできるだけ細く断面形状も小さくし、ユーザーが展示物を見やすくした。【００２４】  このように展示装置を作る同じ枠体ではあるが展示装置の本来の目的を考え展示バック部とフロント（サイド）部の金属パイプを異なった形状に作った。そのため異なった形状の金属パイプを接続するための接続治具はある意味でこの目的を達成するための不可欠な条件となっている。【００２５】  また、接続治具（５０）、（５２）は、顧客であり、閲覧者であるユーザーの安全性を考えて角を削り丸みをつけている。それとともに金属パイプの枠体（３８）と枠体（５１）、枠体（４０）と（５３）で作られる空間に余分な空間がなく、効率的に展示用スペースとして使うようになっている。【００２６】  図５は図４のオープンラックを二つ一緒にセットしたオープンラックの外観図であり、図６は図４、図５では片面だったものを両面取り付けられるようにしたオープンラックである。【００２７】  図７及び図８は、図１及び図２に示した接続治具とは異なる本発明による接続治具の実施例で、その接続治具と金属パイプとの設計図面である。図７で（５８）は三方向からの金��パイプ（６０）、（６２）、（６４）を接続する接続治具である。図８で（６６）は、水平方向に組み立てられる金属パイプ（６８）とその金属パイプ（６８）に対し、直角に約８°加えた約９８°を方向転換した金属パイプ（７０）を接続する接続治具である。ここでは接続治具（７２）も三方向の金属パイプと接続する接続治具となっている。【００２８】  これまでのように金属パイプを曲げ加工によって加工し、これを枠体とする展示装置ではたとえば図１３に見るように、曲げ加工した端部、たとえば端部（７４）では水平方向の金属パイプと接合することが不可能だった。曲がった部分から直線に入り垂直になった部分で接合しない限り、水平方向に結合した金属パイプはその垂直部分の内側にきてしまい、無駄なスペースを生み出すことになったからである。【００２９】  これに対し、本願の図７や図８に示した接続治具（５８）、（７２）を用いれば、金属パイプ（６０）と金属パイプ（６２）とを接続するその端部で、別方向の金属パイプ（６４）を接続できている。（接続治具（７２）も同じ）【００３０】  また図８に示したように楕円形状の金属パイプ（６８）及び金属パイプ（７０）を、楕円の長軸方向へ希望角度（この場合９８°）で互いに接続することが可能である。この接続治具（６６）を使った展示装置では、底の部分の展示面積が広く上に行くに従って狭くなる展示装置が、簡単にできることになる。展示装置がもつ展示スペースを展示物に合わせて作り出すことが可能となっている。【００３１】  本願発明の接続治具の製造方法として、後工程の金属パイプとの接続を溶接で溶着させることを考え、鍛造で作る事例を紹介した。溶接した後はその部分をバフ研磨などしたうえで、クロムメッキなどのメッキ処理や塗装などで外装処理することになる。組み立てた全体が大きなものの場合、溶接で組み立てた後のメッキ処理自体大掛かりでその後の運搬もコストがかかることになる。【００３２】  そこで本願では、本願の接続治具を粉末治金で作り、金属パイプとの接続部分をボルト締めなど溶着以外の接合処理で止める方法も考えた。【００３３】  図１４は本願発明の他の実施例図であり（８０）、（８２）、（８４）は接続治具であり、図１４（ａ）で接続治具（８０）は円形の金属パイプ（８６）と楕円形状の金属パイプを接続している。図１４（ｂ）で接続治具（８２）は四方向への接続端を持ち、左右の楕円形状の金属パイプ（９０）、（９２）、更に図面上上方向にあたる金属パイプ（９４）そして、下方に行く金属パイプ（９６）と接合されている。【００３４】  また、接続治具（８４）の場合、変形の六角柱形の金属パイプ（９８）と楕円形状の金属パイプ（１００）とを接続している。【００３５】  展示装置は、枠体として使用される金属パイプが、枠体の支持用の役割だけではなく、直接展示物、たとえば洋服などをかけるポールとしても使われる可能性がある。そうした時、上記図１４に示した接続が可能ならば展示装置の利用が大きく広がることになる。【００３６】  以上、本願本発明について具体的な実施例を示し説明を行ってきた。しかし本願はこの実施例に限定されるものでなく、明細書に示した本願主旨に添った範囲で権利請求するものである。
【図面の簡単な説明】
【００３７】
【図１】は本願発明による展示装置の部分概観図である。
【図２】は図１に示した概観図の設計図面である。
【図３】は図１に示した接続治具と金属パイプを使用したオープンラックの本発明による一実施例の設計図面である。
【図４】は図３に示したオープンラックの概観図である。
【図５】も図４に示したオープンラックを二つ一緒にセットしたオープンラックの概観図である。
【図６】も本発明による一実施例で、両面タイプのオープンラックの概観図である。
【図７】は本発明による接続治具の他の実施例を示す設計図面。
【図８】は本発明による接続治具の他の実施例を示す設計図面。
【図９】は従来の金属パイプを枠体とする展示装置の実施例でオープンラックの概観図である。
【図１０】は従来のオープンラックを使った展示事例を示す概観図である。
【図１１】は従来のオープンラックを使って服飾品を展示したデパートの売場の写真。
【図１２】は従来の金属パイプを枠体とした展示物の実施例でオープンラックの写真図である。
【図１３】は従来の金属パイプを枠体とした展示物の実施例でオープンラックの写真図である。
【図１４】は本発明による接続治具と金属パイプとの他の実施例の概略図である。
【図１５】は本発明の接続治具を作るに当っての鍛造工程の工程図である。
【符号の説明】
【００３８】２，４，４６，４８，５０，５２，５８，６０，７２・・・・・・・接続治具
【図１】
2007007350.tif 000003
【図２】
2007007350.tif 000004
【図３】
2007007350.tif 000005
【図４】
2007007350.tif 000006
【図５】
2007007350.tif 000007
【図６】
2007007350.tif 000008
【図７】
2007007350.tif 000009
【図８】
2007007350.tif 000010
【図９】
2007007350.tif 000011
【図１０】
2007007350.tif 000012
【図１１】
2007007350.tif 000013
【図１２】
2007007350.tif 000014
【図１３】
2007007350.tif 000015
【図１４】
2007007350.tif 000016
【図１５】
2007007350.tif 000017